(57)【特許請求の範囲】
【請求項１】
電子機器の基板ホルダと、
一端を前記基板ホルダに支持され、可撓性を有する回路基板と、
前記回路基板の他端に固設され、外部コネクタが前記回路基板の前記一端に向けて嵌合される基板コネクタと、
前記回路基板の表面側及び裏面側から前記基板コネクタに隙間を空けて対向して前記基板ホルダに設けられ、前記回路基板の基板面に垂直な方向に前記基板コネクタが変位するのを抑制する制動体と、
を備え、
前記回路基板は、前記外部コネクタと前記基板コネクタとが嵌合する方向への変位を抑制するよう、当該回路基板の前記一端で前記基板ホルダに支持される
ことを特徴とするコネクタ支持構造。
【請求項２】
前記制動体は、
前記基板コネクタと前記外部コネクタとが嵌合した状態では、前記基板コネクタ及び前記外部コネクタに隙間を空けて対向する形状をなす、
ことを特徴とする請求項１に記載のコネクタ支持構造。
【請求項３】
前記回路基板の前記一端は、前記基板ホルダにネジで固定される
ことを特徴とする請求項１または２に記載のコネクタ支持構造。
【請求項４】
前記回路基板の前記一端は、前記制動体により支持される
ことを特徴とする請求項１または２に記載のコネクタ支持構造。
【発明の詳細な説明】
【技術分野】
【０００１】
本発明は、回路基板がコネクタを支持する構造に関するものである。
【背景技術】
【０００２】
従来、映像記録装置などの電子機器に組み込まれる回路基板が基板コネクタを支持する構造は、電子機器内部の基板ホルダに４隅を固定した回路基板にコネクタの端子部を半田で接合するものであった。そのため、基板コネクタに例えばケーブルコネクタなどの外部コネクタを接続する際、又は接続した状態で外部コネクタから基板コネクタが受ける力は、基板コネクタを回路基板に接合する半田接合部にそのまま掛かってしまい、特に基板面に対して垂直な方向の力を基板コネクタが受けると、半田接合部では曲げや反りなどによる応力が働き、半田クラックや変形、剥がれなどの破損を生じさせる虞があった。
【０００３】
上述の問題に対し、特許文献１では、ボード・ツー・ボードコネクタを使用している場合に、一方の回路基板において基板コネクタの両脇部分を突出した形状とすることで、基板コネクタが結合した状態では基板同士が接触する構造とし、基板コネクタに掛かる力を突出部分で受けて分散させる回路基板の固定構造が提案されている。
【０００４】
また、特許文献２では、基板コネクタに突起部を設け、回路基板を固定した基板ホルダには基板コネクタの突起部と係合う形状を設けることで、基板コネクタの底部及び突起部によって基板コネクタを基板ホルダに固定し、基板コネクタに接続するケーブルコネクタの着脱時において基板コネクタに掛かる力を基板ホルダで受ける基板コネクタの固定構造が提案されている。
【０００５】
さらに、特許文献３では、厚み方向に外部装置を着脱する基板コネクタを備えた回路基板において、基板の一端を弾性体によって支持することで、外部装置の着脱時に回路基板と基板コネクタとの接合部に掛かる力を基板の揺動により軽減させる基板支持構造が提案されている。
【先行技術文献】
【特許文献】
【０００６】
【特許文献１】特開２０００−３３２４６５
【特許文献２】特開２００１−０６８１９３
【特許文献３】特開２０１３−０８０８１５
【特許文献４】特開２０１０−１７０７００
【発明の概要】
【発明が解決しようとする課題】
【０００７】
しかし、特許文献１に示されるものは、基板コネクタが完全に結合していない状態では回路基板の突出部分によって力を受けることができず、基板コネクタの着脱時に回路基板と基板コネクタとの接合部に力が掛かってしまう虞がある。
【０００８】
また、特許文献２に示されるものは、基板コネクタは多くの場合は樹脂でできており、樹脂は多少とも弾性を持つことから、基板コネクタと基板ホルダとが係合う部分での固定が弾性により僅かでも緩んでしまうと、回路基板と基板コネクタとの接合部に対して力が及び、接合部を破損させてしまうことが考えられる。
【０００９】
また、特許文献３に示されるものは、回路基板の揺動を抑えるための防止部が回路基板に当たる構造になっており、このため外部装置を基板コネクタから着脱する際に、外部装置から基板コネクタに掛かる力と、外部装置からの力に抗して回路基板の揺動を抑えるように防止部から働く力とが、回路基板と基板コネクタとの接合部に掛かることで、接合部を損傷させてしまう虞がある。
【課題を解決するための手段】
【００１０】
本発明は、上述のような問題を解決するためのものであり、電子機器の基板ホルダと、一端を前記基板ホルダに支持され、可撓性を有する回路基板と、前記回路基板の他端に固設され、外部コネクタが前記回路基板の前記一端に向けて嵌合される基板コネクタと、前記回路基板の表面側及び裏面側から前記基板コネクタに隙間を空けて対向して前記基板ホルダに設けられ、前記回路基板の基板面に垂直な方向に前記基板コネクタが変位するのを抑制する制動体と、を備え、前記回路基板は、前記外部コネクタと前記基板コネクタとが嵌合する方向への変位を抑制するよう、当該回路基板の前記一端で前記基板ホルダに支持されることを特徴とするコネクタ支持構造を提供するものである。
【発明の効果】
【００１１】
本発明によれば、端部を基板ホルダに支持された回路基板の他端に外部コネクタが回路基板の支持箇所に向けて嵌合する基板コネクタを設け、基板ホルダに回路基板の表面側と裏面側から基板コネクタに隙間を空けて対向する制動体を設ける、基板コネクタの支持構造とすることで、基板面に垂直な方向に基板コネクタが受ける力を回路基板のしなりによって分散させ、基板コネクタの変位は制動体抑えられて過度に回路基板のしなりを生じさせることなく、回路基板と基板コネクタとの接合部に掛かる力を低減させることができる。その結果、外部コネクタの着脱時及び嵌合状態において基板コネクタが受ける力によって、回路基板と基板コネクタとの接合部が破損することを防ぐ効果が得られる。
【図面の簡単な説明】
【００１２】
【図１】本発明の実施の形態１における、コネクタ支持構造を適用する映像記録装置を示す外観図である。
【図２】本発明の実施の形態１における、回路基板の自由端部側からみたコネクタ支持構造を示す斜視図である。
【図３】本発明の実施の形態１における、回路基板の支持端部側からみたコネクタ支持構造を示す斜視図である。
【図４】本発明の実施の形態１における、コネクタ支持構造の分解図である。
【図５】本発明の実施の形態１における、回路基板の表面側からみたコネクタ支持構造を示す平面図である。
【図６】本発明の実施の形態１における、図５のコネクタ支持構造の断面図である。
【図７】本発明の実施の形態１における、図６のコネクタ支持構造の基板コネクタとケーブルコネクタとの嵌合部分を拡大した断面図である。
【図８】本発明の実施の形態１における、制動体がケーブルコネクタに接触しない長さとしたコネクタ支持構造の基板コネクタとケーブルコネクタとの嵌合部分を拡大した断面図である。
【図９】本発明の実施の形態１における、コネクタ支持構造の半田接合部に発生する応力を示す応力分布図である。
【図１０】本発明の実施の形態２における、回路基板の支持端部側からみたコネクタ支持構造を示す斜視図である。
【図１１】本発明の実施の形態２における、回路基板の支持端部側からみたコネクタ支持構造を示す側面図とその拡大図である。
【図１２】本発明の実施の形態２における、コネクタ支持構造の三面図である。
【図１３】本発明の実施の形態３における、回路基板の支持端部側からみたコネクタ支持構造を示す斜視図である。
【図１４】本発明の実施の形態３における、回路基板の支持端部側からみたコネクタ支持構造を示す側面図とその拡大図である。
【図１５】本発明の実施の形態３における、コネクタ支持構造の三面図である。
【発明を実施するための形態】
【００１３】
実施の形態１．
図１は、本発明のコネクタ支持構造を適用する映像記録装置１０を示す図である。
【００１４】
映像記録装置１０は、映像を記録するハードディスク１１、電子計算機などの外部装置と繋がる入出力デバイス１２、並びに映像信号や制御信号等の信号処理を行う回路基板などを搭載しており、これらの電子デバイスを装置内部にある筐体１３に収め、筐体１３の外側を筐体カバー１４で覆った構成としている。
【００１５】
図１の（ａ）は、筐体カバー１４を着けた状態の映像記録装置１０である。図１の（ｂ）は、図１の（ａ）の筐体カバー１４を外し筐体１３が見える状態となっている映像記録装置１０を示している。図１の（ｃ）は、図１の（ｂ）に示す映像記録装置１０の向きを、ヨー軸ψに１８０度だけ回転した状態を示している。
【００１６】
本発明のコネクタ支持構造は、図１の（ｂ）に見られる筐体１３の点線枠Ａで囲われた部分に実装されている。
【００１７】
尚、外部コネクタとは、コネクタ支持構造に対して外部から嵌合するコネクタの類をさし、例えばケーブルコネクタや基板コネクタなど本発明が適用できるものが含まれる。本発明では、外部コネクタにケーブルコネクタを採択し説明を行う。
【００１８】
図２は、図１の（ｂ）の点線枠Ａで示されるコネクタ支持構造を、ケーブルコネクタを基板コネクタに嵌合する向きからみた斜視図である。基板ホルダ２０、回路基板２１、基板固定ネジ２２ａ及び２２ｂ、基板コネクタ２３、ケーブルコネクタ２４、クランパ２５、並びにカバー２６を図示している。
【００１９】
基板ホルダ２０は、映像記録装置１０の筐体１３に装着され、回路基板２１を支持するためのホルダである。
【００２０】
回路基板２１は、映像記録装置１０に実装されて映像信号や制御信号などの処理を行う、可撓性を有する電子回路基板である。回路基板２１の一端は、回路基板２１の裏面２１ｂが基板ホルダ２０に向き合う状態で、基板固定ネジ２２ａ及び２２ｂによって基板ホルダ２０に固定されている。本発明では、回路基板２１の基板ホルダ２０によって支持された端部を支持端部と称する。
【００２１】
基板コネクタ２３は、回路基板２１の支持端部と向かい合う端部に、支持端部に向けてケーブルコネクタ２４を嵌合する向きに固設されたコネクタである。基板コネクタ２３と回路基板２１とは半田で接合されている。本発明では、基板コネクタ２３が設けられた回路基板２１の端部を自由端部と称する。
【００２２】
ここで、コネクタ支持構造において、回路基板２１の基板面に対し平行な平面上にあり、回路基板２１に設けられた基板コネクタ２３にケーブルコネクタ２４を嵌合する向きを矢印Ｘで示すＸ方向の正の向きとし、回路基板２１の基板面に対し垂直な方向で、かつ回路基板２１の裏面２１ｂから表面２１ａへの向きを矢印Ｚで示すＺ方向の正の向きとし、矢印Ｘ及び矢印Ｚと直交し、右手系をなす向きを矢印Ｙで示すＹ方向の正の向きとして、Ｘ方向、Ｙ方向、及びＺ方向を定義する。
【００２３】
ケーブルコネクタ２４は、ケーブルの先に設けられた、基板コネクタ２３と嵌合するケーブルコネクタである。
【００２４】
尚、本発明においては、基板コネクタ２３とケーブルコネクタ２４のいずれがオス形状であっても、メス形状であっても、又はそれ以外のコネクタ形状であっても良い。
【００２５】
クランパ２５は、ケーブルコネクタ２４が繋がるケーブルの振止めとして基板ホルダ２０に取り付けられる電子部品である。
【００２６】
カバー２６は、基板コネクタ２３又はケーブルコネクタ２４に回路基板２１の自由端部がＺ方向の正の向きに僅かに変位できる程度の隙間を空けて対向して、回路基板２１の表面２１ａ側を跨いで基板ホルダ２０に取り付けられる部品である。カバー２６は、基板コネクタ２３又はケーブルコネクタ２４と接触することによって、回路基板２１の自由端部が過度に変位するのを抑制する制動体として機能する。カバー２６と基板コネクタ２３又はケーブルコネクタ２４との間に空けられる隙間幅に関しては後述する。
【００２７】
図３は、図２のコネクタ支持構造を回路基板２１の支持端部側からみた斜視図である。スペーサ３０ａ及び３０ｂは、基板ホルダ２０に固定して設けられた部品であり、基板固定ネジ２２ａ及び２２ｂによって、回路基板２１を基板ホルダ２０に固定している。
【００２８】
図４は、コネクタ支持構造を分解した状態を示す分解図である。カバー２６のＹ方向に２つある端部のうち、正の向きにある端部にはカバー固定ネジ４０が挿通する穴が設けられており、カバー固定ネジ４０によって基板ホルダ２０にネジ止めされる。また、カバー２６のＹ方向の負の向きにある端部には突起部４１ａ及び４１ｂが設けられており、基板ホルダ２０に開けられた開孔部４２ａ及び４２ｂと嵌合し、ネジ止め部分と合わせて３点で基板ホルダ２０に固定されている。
【００２９】
Ｌ折曲部４３は、カバー２６の一部であり、ケーブルコネクタ２４が近づく側の端部をＺ方向の正の向きにＬ字に折り曲げた形状を示す。
【００３０】
Ｚ折曲部４４は、基板コネクタ２３又はケーブルコネクタ２４に回路基板２１の自由端部がＺ方向の負の向きに僅かに変位できる程度の隙間を空けて対向して、基板ホルダ２０の一部をＺ方向の正の向きにＺ字に折り曲げた形状を示す。Ｚ折曲部４４は、基板コネクタ２３又はケーブルコネクタ２４と接触することによって、回路基板２１の自由端部が過度に変位するのを抑制する制動体として機能する。Ｚ折曲部４４と基板コネクタ２３又はケーブルコネクタ２４との間に空けられる隙間幅に関しては後述する。
【００３１】
図５は、回路基板２１の表面２１ａ側からみたコネクタ支持構造の平面図である。
【００３２】
図６は、図５のコネクタ支持構造の一点鎖線（ア‐ア）における断面を、基板コネクタ２３とケーブルコネクタ２４が嵌合した状態でＹ方向の正の向きからみた、コネクタ支持構造の断面図である。
【００３３】
図７は、図６の点線枠Ｂに示される、基板コネクタ２３とケーブルコネクタ２４との嵌合部分を拡大した断面図である。
【００３４】
コネクタ端子部７０は、基板コネクタ２３から伸びるコネクタ端子であり、回路基板２１の自由端部の表面２１ａ側に半田で接合されている。
【００３５】
半田接合部７１は、回路基板２１とコネクタ端子７０とが半田で接合された部分である。
【００３６】
ここで、基板コネクタ２３、ケーブルコネクタ２４、カバー２６、及びＺ折曲部４４の、Ｘ方向及びＺ方向の位置関係について説明する。
【００３７】
図７において、Ｓｉ１及びＳｉ２は、それぞれカバー２６と基板コネクタ２３との間隔幅及びＺ折曲部４４と基板コネクタ２３との間隔幅を示す。Ｓｉ１及びＳｉ２は０より大きい値とする。
【００３８】
また、Ｓｏ１及びＳｏ２は、それぞれカバー２６とケーブルコネクタ２４との間隔幅及びＺ折曲部４４とケーブルコネクタ２４との間隔幅を示す。Ｓｏ１及びＳｏ２は０より大きい値とする。
【００３９】
同じく図７において、Ｌｉは基板コネクタ２３のＸ方向長さであり、カバー２６及びＺ折曲部４４と基板コネクタ２３との間隔幅がＳｉ１及びＳｉ２となる部分の長さを示す。Ｌｉは０より大きい値とする。
【００４０】
また、Ｌｏは、カバー２６及びＺ折曲部４４のＸ方向長さであり、ケーブルコネクタ２４の嵌合部位がカバー２６及びＺ折曲部４４と接触する部分の長さを示す。Ｌｏは０以上の値とする。
【００４１】
図７のように、制動体であるカバー２６及びＺ折曲部４４がケーブルコネクタ２４に接触する長さとするためにＬｏを０より大きくとる場合は、Ｓｉ１又はＳｏ１の小さい方、並びにＳｉ２又はＳｏ２の小さい方が、僅かな間隔幅となるようにカバー２６及びＺ折曲部４４のＺ方向位置を調整する。ここでの僅かな間隔幅とは、例えば０．１ｍｍ程度である。
【００４２】
尚、カバー２６のＬｏとＺ折曲部４４のＬｏとは完全に同じ長さでなくとも良く、多少異なっていてもケーブルコネクタ２４の嵌合を導くのに十分な長さがあれば良い。
【００４３】
図８は、図７において、制動体であるカバー２６及びＺ折曲部４４がケーブルコネクタ２４に接触しない長さとするためにＬｏを０とした場合の、基板コネクタとケーブルコネクタとの嵌合部分を拡大した断面図であり、このような構造ではＳｉ１及びＳｉ２が僅かな間隔幅となるように、カバー２６及びＺ折曲部４４のＺ方向位置を調整する。ここでの僅かな間隔幅とは、例えば０．１ｍｍ程度である。
【００４４】
図９は、基板コネクタ２３にコネクタケーブル２４を嵌合する際、又は嵌合した状態で、基板コネクタ２３がケーブルコネクタ２４から受けるＺ方向の力によって、半田接合部７１に発生する応力を示す応力分布図である。
【００４５】
基板コネクタ２３がＺ方向の正の向きの力Ｆｖを受けると、半田接合部７１に対してＺ方向の正の向きの荷重Ｐｖが掛かる。このとき半田接合部７１では、回路基板２１とコネクタ端子部７０との接合状態を維持する力に抗して、引張応力σｔ及び圧縮応力σｃが発生する。ここで、引張応力σｔ及び圧縮応力σｃが半田接合部７１における最大許容応力σｍａｘに達すると、半田クラックなどの破損が起きる。
【００４６】
一方、回路基板２１では自由端部にＺ方向の正の向きの荷重Ｐｖが掛かると曲げ応力σｂが発生し、回路基板２１にたわみが生じる。
【００４７】
回路基板２１においても同様に、曲げ応力σｂが最大許容応力に達してしまうと破損が起きることになるが、その前に基板コネクタ２３又はケーブルコネクタ２４が、カバー２６に接触することで、曲げ応力σｂが最大許容応力に達することはない。
【００４８】
基板コネクタ２３がＺ方向の正の向きの力Ｆｖを受けたときに回路基板２１に発生する曲げ応力σｂは、結果として、半田接合部７１に発生する引張応力σｔ及び圧縮応力σｃを緩和するように働き、引張応力σｔ＜最大許容応力σｍａｘ及び圧縮応力σｃ＜最大許容応力σｍａｘの状態に留める効果をもたらす。同様に、Ｚ方向の負の向きの力Ｆｖが掛かる場合においても、基板コネクタ２３又はケーブルコネクタ２４が、Ｚ折曲部４４に接触することで、同様の効果がもたらされる。
【００４９】
本発明の実施の形態１によれば、電子機器に組み込まれた回路基板２１の自由端部に固設された基板コネクタ２３に、支持端部に向けてケーブルコネクタ２４を嵌合する又は嵌合された状態で、基板コネクタ２３に対して基板面に垂直な方向に力が掛かってしまうことがあっても、回路基板２１のしなりによって半田接合部７１に発生する応力を緩和することができ、また制動体から受ける回路基板２１のしなりを抑制する力は、基板コネクタ２３又はケーブルコネクタ２４に掛かり半田接合部７１には及ばない構造としたことから、半田接合部７１において半田クラックなどの損傷を起しにくくする効果が得られる。
【００５０】
尚、本発明のコネクタ支持構造は、基板コネクタ２３にケーブルコネクタ２４を嵌合する向きを軸とした基板コネクタ２３の捻りに対しても同様に、回路基板２１のしなりによって半田接合部７１に発生する応力を緩和する効果を奏する。
【００５１】
また、カバー２６及びＺ折曲部４４のＬｏを適度な長さに調整することによって、ケーブルコネクタ２４を嵌合する時に、カバー２６、Ｚ折曲部４４、及びカバー２６に設けられたＬ折曲部４３がケーブルコネクタ２４の誘い込みとして機能し、ケーブル接続作業の効率向上を図る効果も見込まれる。
【００５２】
実施の形態２．
図１０は、回路基板２１の支持端部側からみたコネクタ支持構造を示す斜視図である。実施の形態１と比べて、回路基板２１の支持端部を支持する構造が異なる。
【００５３】
図１１の（ａ）は、回路基板２１の支持端部側からみたコネクタ支持構造を示す側面図である。図１１の（ｂ）は、図１１の（ａ）の点線枠Ｃで囲われた部分を拡大した拡大図である。
【００５４】
図１２は、図１２の（ａ）に示す回路基板２１の表面２１ａ側からみたコネクタ支持構造の平面図と、その平面図に示す一点鎖線（イ‐イ）及び一点鎖線（ウ‐ウ）における断面を、それぞれ図１２の（ｂ）及び（ｃ）に示すＸ方向の負の向き及びＹ方向の正の向きからみたコネクタ支持構造の断面図と、をまとめた三面図である。
【００５５】
基板ホルダ１００は、映像記録装置１０の筐体１３に装着され、回路基板２１を支持するためのホルダである。実施の形態１の基板ホルダ２０と異なり、回路基板２１を支持する構造としてスペーサ３０ａ及び３０ｂに替わりＬ字支持部１０１ａ及び１０１ｂを有する。
【００５６】
Ｌ字支持部１０１ａ及び１０１ｂは、基板ホルダ１００の端部のうち、回路基板２１の支持端部に対向する一部を、Ｚ方向の正の向きにＬ字に折り曲げた形状を示す。Ｌ字支持部１０１ａ及び１０１ｂの先端部分には凸型形状の切欠きが設けられている。回路基板２１の支持端部に空けられた２つの穴に、Ｌ字支持部１０１ａ及び１０１ｂの凸型形状の切欠き部分をそれぞれ嵌め込むことで、回路基板２１を支持する。
【００５７】
カバー１０２は、実施の形態１のカバー２６と同様に、基板ホルダ１００に取り付けられて回路基板２１の自由端部がＺ方向の正の向きに過度に変位するのを抑制する制動体として機能する部品である。カバー１０２は、Ｌ折曲部４３と向かい合う端部の一部をＺ方向の負の向きにＺ字に折り曲げたＺ字押止部１０３ａ及び１０３ｂを有するところが実施の形態１のカバー２６とは異なる。Ｚ字押止部１０３ａ及び１０３ｂの先端部分はＸＹ平面に平行な面形状となっている。
【００５８】
Ｚ字押止部１０３ａ及び１０３ｂの先端の面形状部分は、カバー１０２がカバー固定ネジ４０並びに突起部４１ａ及び４１ｂによって基板ホルダ１００に固定された状態において、Ｌ字支持部１０１ａ及び１０１ｂの切欠き部分の先端に接する形状である。Ｚ字押止部１０３ａ及び１０３ｂは、Ｌ字支持部１０１ａ及び１０１ｂに嵌め込まれた回路基板２１が抜け落ちるのを防止しながら、Ｌ字支持部１０１ａ及び１０１ｂと挟み込むことで回路基板２１を支持している。
【００５９】
回路基板２１は、Ｌ字支持部１０１ａ及び１０１ｂと嵌合し、Ｚ字押止部１０３ａ及び１０３ｂと接する状態で支持されるため、回路基板２１の支持端部ではＬ字支持部１０１ａ及び１０１ｂと嵌合する範囲でＺ方向に変位を生じる。
【００６０】
実施の形態２によれば、基板コネクタ２３にケーブルコネクタ２４を嵌合する際、又は嵌合した状態で、基板コネクタ２３がＺ方向の力を受けると、回路基板２１のしなりと合わせて回路基板２１の支持端部にＺ方向の変位が生じるため、回路基板２１の自由端部は実施の形態１の場合と比べてより柔軟にＺ方向に変位することとなる。その結果、半田接合部７１に発生する応力をさらに緩和する効果が得られる。
【００６１】
実施の形態３．
図１３は、回路基板２１の支持端部側からみたコネクタ支持構造を示す斜視図である。実施の形態１及び実施の形態２と比べて、回路基板２１の支持端部を支持する構造が異なる。
【００６２】
図１４の（ａ）は、回路基板２１の支持端部側からみたコネクタ支持構造を示す側面図である。図１４の（ｂ）は、図１４の（ａ）の点線枠Ｄで囲われた部分を拡大した拡大図である。
【００６３】
図１５は、図１５の（ａ）に示す回路基板２１の表面２１ａ側からみたコネクタ支持構造の平面図と、その平面図に示す一点鎖線（エ‐エ）及び一点鎖線（オ‐オ）における断面を、それぞれ図１５の（ｂ）及び（ｃ）に示すＸ方向の負の向き及びＹ方向の正の向きからみたコネクタ支持構造の断面図と、をまとめた三面図である。
【００６４】
基板ホルダ１３０は、映像記録装置１０の筐体１３に装着され、回路基板２１を指示するためのホルダである。実施の形態１の基板ホルダ２０及び実施の形態２の基板ホルダ１００と異なり、回路基板２１を支持する構造としてＺ字支持部１３１ａ及び１３１ｂを有する。
【００６５】
Ｚ字支持部１３１ａ及び１３１ｂは、基板ホルダ１３０の端部のうち、回路基板２１の支持端部に対向する一部を、Ｚ方向の正の向きにＺ字に折り曲げた形状を示す。Ｚ字支持部１３１ａ及び１３１ｂの先端部分はＸＹ平面に平行な面形状となっており、回路基板２１を基板ホルダ１３０に対して平行に設置することができる。
【００６６】
Ｚ字支持部１３１ａ及び１３１ｂに形成された面形状部分の、Ｚ方向に正の向きの側には、それぞれ円筒形のバーリング１３２ａ及び１３２ｂが設けられている。回路基板２１の支持端部に空けられた２つの穴に、Ｚ字支持部１３１ａ及び１３１ｂのバーリング１３２ａ及び１３２ｂをそれぞれ嵌め込むことで、回路基板２１を支持する。
【００６７】
カバー１０２に設けられたＺ字押止部１０３ａ及び１０３ｂの先端の面形状部分は、カバー１０２がカバー固定ネジ４０並びに突起部４１ａ及び４１ｂによって基板ホルダ１３０に固定された状態において、バーリング１３２ａ及び１３２ｂと接する形状である。Ｚ字押止部１０３ａ及び１０３ｂは、バーリング１３２ａ及び１３２ｂに嵌め込まれた回路基板２１が抜け落ちるのを防止しながら、Ｚ字支持部１３１ａ及び１３１ｂと挟み込むことで回路基板２１を支持している。
【００６８】
回路基板２１は、Ｚ字支持部１３１ａ及び１３１ｂのバーリング１３２ａ及び１３２ｂと嵌合し、Ｚ字押止部１０３ａ及び１０３ｂと接する状態で支持されるため、回路基板２１の支持端部ではバーリング１３２ａ及び１３２ｂと嵌合する範囲でＺ方向に変位を生じる。
【００６９】
実施の形態３によれば、実施の形態２の支持構造と比べて、回路基板２１の支持端部に空けた穴をＬ字支持部１０１ａ及び１０１ｂの切欠き形状によって傷付ける虞なく、支持端部のＺ方向の変位を可能な状態として回路基板２１を支持できる効果が得られる。
【符号の説明】
【００７０】
１０  映像記録装置
１１  ハードディスク
１２  入出力デバイス
１３  筐体
１４  筐体カバー
２０  基板ホルダ
２１  回路基板
２１ａ  回路基板の表面
２１ｂ  回路基板の裏面
２２ａ、２２ｂ  基板固定ネジ
２３  基板コネクタ
２４  ケーブルコネクタ
２５  クランパ
２６  カバー
３０ａ、３０ｂ  スペーサ
４０  カバー固定ネジ
４１ａ、４１ｂ  突起部
４２ａ、４２ｂ  開孔部
４３  Ｌ折曲部
４４  Ｚ折曲部
７０  コネクタ端子部
７１  半田接合部
１００  基板ホルダ
１０１ａ、１０１ｂ  Ｌ字支持部
１０２  カバー
１０３ａ、１０３ｂ  Ｚ字押止部
１３０  基板ホルダ
１３１ａ、１３１ｂ  Ｚ字支持部
１３２ａ、１３２ｂ  バーリング
【図１】
0006024680.tif 000002
【図２】
0006024680.tif 000003
【図３】
0006024680.tif 000004
【図４】
0006024680.tif 000005
【図５】
0006024680.tif 000006
【図６】
0006024680.tif 000007
【図７】
0006024680.tif 000008
【図８】
0006024680.tif 000009
【図９】
0006024680.tif 000010
【図１０】
0006024680.tif 000011
【図１１】
0006024680.tif 000012
【図１２】
0006024680.tif 000013
【図１３】
0006024680.tif 000014
【図１４】
0006024680.tif 000015
【図１５】
0006024680.tif 000016